(57)【要約】【課題】迅速に障害を取り除くことができる無線基地局装置、無線機器、保守システム、保守方法及びプログラムを提供する。【解決手段】送信部４７は、第１の通信路を介して無線機器に正常動作通知情報を定期的に送信する。記憶部４３は、第２の通信路を介して無線機器から読み出し可能である。障害情報書き込み部４８は、記憶部４３に、自機に発生した障害に関する障害情報を書き込む。実行部４９は、第２の通信路を介して無線機器から受信した指示に従って、自機の障害を取り除くための処理を実行する。【選択図】図２
2012209797.tif 000002
【特許請求の範囲】
【請求項１】
第１の通信路を介して無線機器に正常動作通知情報を定期的に送信する送信部と、
第２の通信路を介して前記無線機器から読み出し可能な記憶部と、
前記記憶部に、自機に発生した障害に関する障害情報を書き込む障害情報書き込み部と、
前記第２の通信路を介して前記無線機器から受信した指示に従って、前記障害を取り除くための処理を実行する実行部と、
を備える無線基地局装置。
【請求項２】
前記記憶部は、
前記第２の通信路を介して前記無線機器から送信された情報を書き込み可能であり、
前記実行部は、
前記第２の通信路を介して前記無線機器から前記記憶部に書き込まれたソフトウエアプログラム及びパラメータの更新情報に従って、内部で実行される前記ソフトウエアプログラム及びパラメータを更新する、
ことを特徴とする請求項１に記載の無線基地局装置。
【請求項３】
前記実行部は、
前記第２の通信路を介して前記無線機器から受信した再起動の指示に従って、自機を再起動する、
ことを特徴とする請求項１又は２に記載の無線基地局装置。
【請求項４】
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部と、
前記判定部によって前記第１の無線基地局装置に障害が発生していると判定された場合に、第２の通信路を介して前記第１の無線基地局装置の記憶部からその障害に関する障害情報を取得する障害情報取得部と、
前記障害情報取得部によって取得された障害情報を、前記第１の通信路を介して第２の無線基地局装置に送信する送信部と、
前記第２の無線基地局装置から前記障害情報に対応する障害対策情報を受信する受信部と、
前記受信部で受信された障害対策情報に従って、前記障害を取り除くための処理の実行を指示する指示部と、
を備える無線機器。
【請求項５】
前記指示部は、
前記障害対策情報にソフトウエアプログラム及びパラメータの更新情報が含まれる場合、前記第２の通信路を介して前記第１の無線基地局装置に前記ソフトウエアプログラム及びパラメータの更新情報及び更新指示を送信する、
ことを特徴とする請求項４に記載の無線機器。
【請求項６】
前記指示部は、
前記障害対策情報に再起動の指示が含まれる場合、前記第２の通信路を介して前記第１の無線基地局装置に再起動を指示する、
ことを特徴とする請求項４又は５に記載の無線機器。
【請求項７】
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備え、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する保守システム。
【請求項８】
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備えるシステムの保守方法であって、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する保守方法。
【請求項９】
コンピュータを、
第１の通信路を介して無線機器に正常動作通知情報を定期的に送信する送信部、
第２の通信路を介して前記無線機器から読み出し可能な記憶部、
前記記憶部に、自機に発生した障害に関する障害情報を書き込む障害情報書き込み部、
前記第２の通信路を介して前記無線機器から受信した指示に従って、前記障害を取り除くための処理を実行する実行部、
として機能させるプログラム。
【請求項１０】
コンピュータを、
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部、
前記判定部によって前記第１の無線基地局装置に障害が発生していると判定された場合に、第２の通信路を介して前記第１の無線基地局装置の記憶部からその障害に関する障害情報を取得する障害情報取得部、
前記障害情報取得部によって取得された障害情報を、前記第１の通信路を介して第２の無線基地局装置に送信する送信部、
前記第２の無線基地局装置から前記障害情報に対応する障害対策情報を受信する受信部、
前記受信部で受信された障害対策情報に従って、前記障害を取り除くための処理の実行を指示する指示部、
として機能させるプログラム。
【発明の詳細な説明】
【技術分野】
【０００１】
本発明は、無線基地局装置、無線機器、保守システム、保守方法及びプログラムに関する。
【背景技術】
【０００２】
移動体通信網における無線基地局装置（ＢＴＳ：Base Transceiver Station）は、専用局舎に限らず、ビルの屋上、鉄塔、家庭、オフィス内等、様々な場所に設置される。ＢＴＳが故障した場合、移動体通信網への影響を最小限に抑えるために、迅速な復旧が求められる。
【０００３】
例えば、ＢＴＳ自身が定期的にデバイスの診断を行い、ネットワークを介してオペレーションセンタに診断結果を送信する無線基地局監視システムが開示されている（例えば、特許文献１参照）。特許文献１に開示された無線基地局監視システムによれば、診断結果に異常が発見された場合、オペレーションセンタからメンテナンスツールにリセット信号の出力指示が送信される。メンテナンスツールから送信されたリセット信号によって、ＢＴＳはリセットされ、復旧することができる。
【先行技術文献】
【特許文献】
【０００４】
【特許文献１】特開２００４−８８２３６号公報
【発明の概要】
【発明が解決しようとする課題】
【０００５】
しかし、特許文献１に開示された無線基地局監視システムでは、ネットワークを利用出来ない等、ＢＴＳの障害の状況によっては、診断結果をオペレーションセンタに送信できないことがある。このような場合には、ＢＴＳの障害に気付くのが遅れ、迅速に障害を取り除くのが困難になる。
【０００６】
本発明は、上記実情に鑑みてなされたものであり、迅速に障害を取り除くことができる無線基地局装置、無線機器、保守システム、保守方法及びプログラムを提供することを目的とする。
【課題を解決するための手段】
【０００７】
上記目的を達成するため、本発明の第１の観点に係る無線基地局装置は、
第１の通信路を介して無線機器に正常動作通知情報を定期的に送信する送信部と、
第２の通信路を介して前記無線機器から読み出し可能な記憶部と、
前記記憶部に、自機に発生した障害に関する障害情報を書き込む障害情報書き込み部と、
前記第２の通信路を介して前記無線機器から受信した指示に従って、前記障害を取り除くための処理を実行する実行部と、
を備える。
【０００８】
また、本発明の第２の観点に係る無線機器は、
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部と、
前記判定部によって前記第１の無線基地局装置に障害が発生していると判定された場合に、第２の通信路を介して前記第１の無線基地局装置の記憶部からその障害に関する障害情報を取得する障害情報取得部と、
前記障害情報取得部によって取得された障害情報を、前記第１の通信路を介して第２の無線基地局装置に送信する送信部と、
前記第２の無線基地局装置から前記障害情報に対応する障害対策情報を受信する受信部と、
前記受信部で受信された障害対策情報に従って、前記障害を取り除くための処理の実行を指示する指示部と、
を備える。
【０００９】
また、本発明の第３の観点に係る保守システムは、
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備え、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する。
【００１０】
また、本発明の第４の観点に係る保守方法は、
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備えるシステムの保守方法であって、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する。
【００１１】
また、本発明の第５の観点に係るプログラムは、
コンピュータを、
第１の通信路を介して無線機器に正常動作通知情報を定期的に送信する送信部、
第２の通信路を介して前記無線機器から読み出し可能な記憶部、
前記記憶部に、自機に発生した障害に関する障害情報を書き込む障害情報書き込み部、
前記第２の通信路を介して前記無線機器から受信した指示に従って、前記障害を取り除くための処理を実行する実行部、
として機能させる。
【００１２】
また、本発明の第６の観点に係るプログラムは、
コンピュータを、
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部、
前記判定部によって前記第１の無線基地局装置に障害が発生していると判定された場合に、第２の通信路を介して前記第１の無線基地局装置の記憶部からその障害に関する障害情報を取得する障害情報取得部、
前記障害情報取得部によって取得された障害情報を、前記第１の通信路を介して第２の無線基地局装置に送信する送信部、
前記第２の無線基地局装置から前記障害情報に対応する障害対策情報を受信する受信部、
前記受信部で受信された障害対策情報に従って、前記障害を取り除くための処理の実行を指示する指示部、
として機能させる。
【発明の効果】
【００１３】
本発明によれば、無線基地局装置は、第１の通信路を介して正常動作通知情報を定期的に無線機器に送信する。これにより、無線機器が、正常動作通知情報を受信できない場合に無線基地局装置に障害が発生していると判定することができる。そして、無線基地局装置は、第２の通信路を介して障害情報を外部から読み出されることができるうえ、第２の通信路を介して受信した指示に従って、障害を取り除くための処理を実行することができる。この結果、無線基地局装置に生じた障害を迅速に取り除くことができる。
【図面の簡単な説明】
【００１４】
【図１】本発明の実施形態に係る移動体通信システムの構成を示す図である。
【図２】図１に示す無線基地局装置の構成を示すブロック図である。
【図３】図１に示す無線機器の構成を示すブロック図である。
【図４】本発明の実施形態に係る保守処理のフローチャートである。
【発明を実施するための形態】
【００１５】
本発明の実施形態について、図面を参照して詳細に説明する。
【００１６】
図１に示すように、保守システムとしての移動体通信システム１００は、上位局１と、保守監視局２と、通信ネットワークとしてのネットワーク回線網３と、無線基地局装置４、５（以下、「ＢＴＳ」と略称する）と、無線機器（移動局）６とを備える。
【００１７】
上位装置としての上位局１、保守監視局２は、ネットワーク回線網３と接続される。上位局１は、ＢＴＳ４、５を管理する。上位局１は、例えばネットワーク回線網３を介してＢＴＳ４、５との間でデータ通信を行う。保守監視局２は、ＢＴＳ４、５の保守監視（整備、維持、点検、手入れ等を含む）を行う。例えば、保守監視局２は、例えばネットワーク回線網３を介してＢＴＳ４、５に遠隔アクセスして、ＢＴＳ４、５で実行されるソフトウエアプログラムの更新等を行う。ネットワーク回線網３は、インターネットやケーブルテレビの回線網等、相互にデータ通信が可能なアナログ回線網、あるいは専用のデジタル回線網等である。
【００１８】
ＢＴＳ４、５は、ネットワーク回線網３と接続される。ＢＴＳ４、５は、通信圏内に存在する無線機器６と無線接続することによって、無線機器６とネットワーク回線網３に接続された通信装置とを通信可能に接続する中継局である。無線機器６は、家庭やオフィス等においてＢＴＳ４、５と無線で接続することによって、移動体通信システム１００から提供されるサービスを受けることができる。ＢＴＳ４は、半径数メートルから数十メートルまでをカバーするピコセルＢＴＳであり、主として屋内（図１の破線内）に設置される。ＢＴＳ５は、ＭＴＳ４より広い範囲をカバーし、主として屋外に設置される基地局である。
【００１９】
図２を参照して、ＢＴＳ４、５の構成を説明する。なお、ＢＴＳ５は、ＢＴＳ４と通信圏内の広さは異なるものの、その構成はＢＴＳ４と同じであるため、以下ではＢＴＳ４の構成について説明する。なお、本実施形態では、ＢＴＳ４が、第１の無線基地局装置であり、ＢＴＳ５が、第２の無線基地局装置である。
【００２０】
ＢＴＳ４は、通信部４１と、インタフェース部４２と、記憶部４３と、制御部４４とを備える。通信部４１は、アンテナ（不図示）を備え、アンテナを介して無線機器６との間で、第１の通信路としての通信路１０を介してデータを送受信する。通信部４１は、無線機器６から受信した無線信号の周波数の変換、復調等を行う。また、通信部４１は、無線機器６に送信する無線信号を生成するためにベースバンド信号の周波数の変換、変調等を行う。また、通信部４１は、上位局１、保守監視局２との間で、ネットワーク回線網３を介してデータを送受信する。
【００２１】
インタフェース部４２は、無線機器６との間で第２の通信路としての通信路２０を介してデータを送受信する。例えば、通信路２０は、中継局を介さない近距離無線通信機能によって確立された通信路である。より具体的には、近距離通信機能は、ＩＥＥＥ８０２．１５．１に準拠するＢｌｕｅｔｏｏｔｈ（登録商標）、ＩＥＥＥ８０２．１１ａ／ＩＥＥＥ８０２．１１ｂに準拠するＷｉＦｉ（登録商標）、ＩＥＥＥ８０２．１６−２００４及びＩＥＥＥ８０２．１６ｅに準拠するＷｉＭａｘ（登録商標）、赤外線通信、可視光通信等である。
【００２２】
記憶部４３は、例えば、ＲＯＭ（Read Only Memory）、ＲＡＭ（Random Access Memory）等の読み書き可能なメモリを備える。記憶部４３は、ＢＴＳ４を運用するための各種プログラム、パラメータ、運用状況の履歴情報等を記憶する。記憶部４３は、通信路２０を介して無線機器６から読み出し／書き込み可能である。
【００２３】
記憶部４３は、障害情報格納部４５と、更新情報格納部４６とを備える。障害情報格納部４５には、ＢＴＳ４に関する障害情報を格納する。例えば、障害情報は、ＢＴＳ４に発生した障害に関する情報であり、例えば障害の内容、その履歴等である。障害情報格納部４５によって格納される障害情報には、通信路２０を介して無線機器６から読み出し／書き込みが可能である。更新情報格納部４６には、通信路２０を介して無線機器６から受信されたＢＴＳ４で実行されるソフトウエアプログラムやそのソフトウエアプログラムで用いられるパラメータ等の更新情報が格納される。
【００２４】
制御部４４は、ＣＰＵ（Central Processing Unit）等を備え、ＣＰＵが記憶部４３に記憶された各種ソフトウエアプログラムを実行制御することにより、通信部４１、インタフェース部４２、記憶部４３を統括的に制御するとともに、下記の各処理を実行する。
【００２５】
制御部４４は、送信部４７と、障害情報書き込み部４８と、実行部４９とを備える。送信部４７は、通信路１０を介して無線機器６に正常動作通知情報を定期的に送信する。正常動作通知情報は、ＢＴＳ４が正常に動作していること示す情報である。無線機器６は、定期的にＢＴＳ４から送信される正常動作通知情報を受信することによって、ＢＴＳ４が正常に動作していることを確認できる。
【００２６】
障害情報書き込み部４８は、記憶部４３の障害情報格納部４５に、自機に発生した障害に関する障害情報を書き込む。
【００２７】
実行部４９は、通信路２０を介して無線機器６から受信した指示に従って、障害を取り除くための処理を実行する。より具体的には、実行部４９は、通信路２０を介して無線機器６から記憶部４３の更新情報格納部４６に書き込まれたソフトウエアプログラム及びパラメータの更新情報に従って、内部で実行されるソフトウエアプログラム及びパラメータを更新する。また、実行部４９は、通信路２０を介して無線機器６から受信した再起動の指示に従って、ＢＴＳ４を再起動する。
【００２８】
次に、図３を参照して、無線機器６の構成について説明する。無線機器６は、通信部６１と、インタフェース部６２と、記憶部６３と、ＣＰＵ６４と、表示部６５とを備える。通信部６１は、アンテナ（不図示）を備え、アンテナを介してＢＴＳ４、５との間で、通信路１０を介してデータを送受信する。より詳細には、通信部６１は、ＢＴＳ４、５から受信した無線信号の周波数の変換、復調等を行う。また、通信部６１は、ＢＴＳ４、５に送信する無線信号を生成するためにベースバンド信号の周波数の変換、変調等を行う。
【００２９】
インタフェース部６２は、ＢＴＳ４との間で通信路２０を介してデータを送受信する。記憶部６３は、例えば、ＲＯＭ、ＲＡＭ等の読み書き可能なメモリを備える。記憶部６３は、各種プログラム、データ等を記憶する。
【００３０】
ＣＰＵ６４は、位置情報取得部６６と、判定部６７と、障害情報取得部６８と、送信部６９と、受信部７０と、指示部７１とを備える。ＣＰＵ６４は、記憶部６３に記憶された各種プログラムを実行制御することにより、判定部６７、位置情報取得部６６、障害情報取得部６８、送信部６９、受信部７０及び指示部７１の機能等を実現して、無線機器６の各部を統括的に制御するとともに、下記の各処理を実行する。
【００３１】
位置情報取得部６６は、自機の位置情報（緯度及び経度）を取得する。例えば、位置情報取得部６６は、ＧＰＳ（Global Positioning System）機能を備え、ＧＰＳ衛星から送信される無線機器６の位置情報を取得する。
【００３２】
判定部６７は、通信路１０を介してＢＴＳ４から送信される正常動作通知情報を定期的に受信しておらず、かつ、自機がＢＴＳ４の通信圏内に入っている場合に、ＢＴＳ４に障害が発生していると判定する。より詳細には、判定部６７は、位置情報取得部６６によって取得された自機の位置情報に基づいて、ＢＴＳ４の通信圏内に入っているか否かを判定する。
【００３３】
障害情報取得部６８は、判定部６７によってＢＴＳ４に障害が発生していると判定された場合に、通信路２０を介してＢＴＳ４の記憶部４３からその障害に関する障害情報を取得する。より具体的には、記憶部６３には、障害情報格納部４５に格納された障害情報を読み出す手順を実行するためのプログラムが記憶されており、障害情報取得部６８は、このプログラムを実行することによって、通信路２０を介して障害情報を読み出す。障害情報取得部６８は、読み出した障害情報を記憶部６３に記憶させる。
【００３４】
送信部６９は、障害情報取得部６８によって取得された障害情報を、通信路１０を介してＢＴＳ５に送信する。
【００３５】
受信部７０は、ＢＴＳ５から障害情報に対応する障害対策情報を受信する。
【００３６】
指示部７１は、受信部７０で受信された障害対策情報に従って、ＢＴＳ４に発生した障害を取り除くための処理の実行を指示する。
【００３７】
障害対策情報の生成方法について、より詳細に説明する。送信部６９は、ＢＴＳ４以外に通信路１０を介して接続可能なＢＴＳ５を探索し、探索されたＢＴＳ５に通信路１０を介して障害情報を送信する。ＢＴＳ５は、ネットワーク回線網３を介して障害情報を上位装置としての保守監視局２へ送信する。保守監視局２は受信した障害情報をデコードし、得られたデコード結果から障害の内容に応じて例えばソフトウエアプログラム等の更新情報を含む障害対策情報を生成する。保守監視局２は、ネットワーク回線網３を介して生成した障害対策情報をＢＴＳ５に送信する。ＢＴＳ５は、通信路１０を介して障害対策情報を無線機器６に送信する。
【００３８】
指示部７１は、受信した障害対策情報を記憶部６３に記憶させ、障害対策情報をデコードし、得られたデコード結果から障害の内容を特定する。
【００３９】
指示部７１は、特定された障害の内容に応じて、障害を除去する処理を決定する。例えば、指示部７１は、障害対策情報にソフトウエアプログラム及びパラメータの更新情報が含まれる場合、通信路２０を介してＢＴＳ４に前記ソフトウエアプログラム及びパラメータの更新情報及び更新指示を送信する。また、指示部７１は、障害対策情報に再起動の指示が含まれる場合、通信路２０を介してＢＴＳ５に再起動を指示する。
【００４０】
ＢＴＳ４のソフトウエアプログラム及びパラメータの更新は、ソフトウエアプログラムの不具合、記憶部４３に記憶されたデータの不具合、パラメータの設定の不備等に起因する障害に対して有効である。指示部７１は、障害対策情報に更新情報が含まれる場合、通信路２０を介して更新情報格納部４６に更新情報を格納し、ソフトウエアプログラム及びパラメータの更新を指示する。
【００４１】
ＢＴＳ４の再起動は、ソフトウエアプログラムのバグや例外処理によるＢＴＳ４の制御部４４のハングアップ、電源電圧の瞬断、クロック同期回路の同期外れ等の一時的、過渡的なハードの不具合による制御部４４の停止状態に起因する障害に対して有効である。指示部７１は、障害対策情報にＢＴＳ４が停止状態であり、再起動の指示が含まれる場合、ＢＴＳ４に通信路２０を介して再起動を指示する。再起動の指示では、例えば、インタフェース部４２から制御部４４に再起動信号線（不図示）を設け、インタフェース部４２から再起動信号線を有効にするプログラムを実行するようにしてもよい。
【００４２】
表示部６５は、使用者が無線機器６の機能を利用するために必要な各種の情報を表示する。例えば、各種の情報には、電源状態、電波強度、インターネット上のサイトのデータ等がある。また、表示部６５は、ＣＰＵ６４の指示に従って、移動体通信システム１００の保守部門の連絡先等を表示する。
【００４３】
次に、図４を参照しながら、移動体通信システム１００における保守処理のフローについて説明する。
【００４４】
ＢＴＳ４は、通信路１０を介して定期的に（所定時間が経過する度に）正常動作通知情報を無線機器６に送信している。無線機器６のＣＰＵ６４（判定部６７）は、正常動作通知情報を受信してから所定時間が経過するまで待つ（ステップＳ１；Ｎｏ）。正常動作通知情報を受信せず、所定時間が経過すると（ステップＳ１；Ｙｅｓ）、ＣＰＵ６４（判定部６７）は、位置情報取得部６６によって取得された位置情報に基づいて、自機がＢＴＳ４の通信圏内に入っているか否かを判定する（ステップＳ２）。自機がＢＴＳ４の通信圏内に入っていない場合（ステップＳ２；Ｎｏ）、通信路１０を介して正常動作通知情報を受信することができないと考えられるため、ＣＰＵ６４は、ステップＳ１に戻る。
【００４５】
自機がＢＴＳ４の通信圏内に入っている場合（ステップＳ２；Ｙｅｓ）、ＢＴＳ４に障害が発生したと考えられるため、ＣＰＵ６４（障害情報取得部６８）は、通信路２０を介して記憶部４３から障害情報を読み出す（ステップＳ３）。続いて、ＣＰＵ６４（送信部６９）は、通信路１０を介してＢＴＳ５に障害情報を送信する（ステップＳ４）。次に、ＣＰＵ６４（受信部７０）は、通信路１０を介してＢＴＳ５から障害対策情報を受信する（ステップＳ５）。さらに、ＣＰＵ６４（指示部７１）は、受信した障害対策情報に基づいて障害の内容を特定する（ステップＳ６）。
【００４６】
続いて、ＣＰＵ６４（指示部７１）は、特定された障害の内容に基づいて、ソフトウエアプログラム及びパラメータの更新が必要か否かを判定する（ステップＳ７）。更新が必要な場合（ステップＳ７；Ｙｅｓ）、ＣＰＵ６４（指示部７１）は、通信路２０を介してＢＴＳ４にソフトウエアプログラム及びパラメータの更新を指示する（ステップＳ８）。より詳細には、ＣＰＵ６４（指示部７１）は、通信路２０を介して、更新情報をＢＴＳ４の更新情報格納部４６に格納する。続いて、ＣＰＵ６４（指示部７１）は、更新情報を用いてソフトウエアプログラム及びパラメータを更新することをＢＴＳ４の制御部４４に指示する。これに応じて、ＢＴＳ４の制御部４４は、ソフトウエアプログラム及びパラメータを更新する。
【００４７】
一方、ソフトウエアプログラム及びパラメータの更新が不要な場合（ステップＳ７；Ｎｏ）、制御部６４（指示部７１）は、障害の内容に基づいて、ＢＴＳ４の再起動が必要か否かを判定する（ステップＳ９）。ＢＴＳ４の再起動が必要な場合（ステップＳ９；Ｙｅｓ）、制御部６４（指示部７１）は、通信路２０を介して、ＢＴＳ４の制御部４４の再起動を指示する（ステップＳ１０）。これに応じて、ＢＴＳ４は、再起動を実行する。
【００４８】
ソフトウエアプログラム及びパラメータの更新、又はＢＴＳ４の再起動によって、障害が除去された場合（ステップＳ１１；Ｙｅｓ）、ＣＰＵ６４は、ステップＳ１に戻る。ソフトウエアプログラム及びパラメータの更新、又はＢＴＳ４の再起動によって障害が除去されない場合（ステップＳ１１；Ｎｏ）、あるいは、ＢＴＳ４の再起動が必要でない場合（ステップＳ９；Ｎｏ）、本処理での障害の除去は困難であると考えられるため、ＣＰＵ６４は、表示部６５に保守部門の連絡先等を表示する（ステップＳ１２）。
【００４９】
以上、詳細に説明したように、上記実施形態によれば、ＢＴＳ４は、通信路１０を介して正常動作通知情報を定期的に無線機器６に送信する。これにより、無線機器６が、正常動作通知情報を受信できない場合にＢＴＳ４に障害が発生していると判定することができる。そして、ＢＴＳ４は、通信路２０を介して障害情報を外部から読み出されることができるうえ、通信路２０を介して受信した指示に従って、障害を取り除くための処理を実行することができる。この結果、ＢＴＳ４に生じた障害を迅速に取り除くことができる。
【００５０】
また、上記実施形態では、障害の内容に基づいて、ソフトウエアプログラム及びパラメータを更新するようにした。これにより、ソフトウエアプログラムの不具合、記憶部４３に記憶されたデータの不具合、パラメータの設定の不備等に起因する障害を除去できる。
【００５１】
また、上記実施形態では、障害の内容に基づいて、ＢＴＳ４を再起動するようにした。こうすることで、ソフトウエアプログラムの不具合や例外処理によるＢＴＳ４の制御部４４のハングアップ、電源電圧の瞬断、クロック同期回路の同期外れ等の一時的、過渡的なハードの不具合による制御部４４の停止状態に起因する障害を除去できる。また、一般に、ＢＴＳ４の再起動用スイッチは、誤って触れたりしないようにカバーや筐体で保護されている。指示部７１は、障害対策情報に基づいてＢＴＳ４を再起動するので、カバーや筐体の取り外し及び取り付け作業が不要となる、この結果、作業者の負担を軽減し、より簡便に障害を除去することができる。
【００５２】
また、上記実施形態では、通信路２０は、中継局を介さない近距離無線通信とした。これにより、専用のデバック用通信ツールが不要となるため、作業者の負担を軽減し、より簡便に障害を除去することができる。
【００５３】
また、無線機器６は、位置情報取得部６６を備え、判定部６７は、送信部４７から所定時間毎に正常動作通知情報を受信しない場合、位置情報取得部６６で取得された位置情報に基づいて、自機の位置がＢＴＳ４の通信圏内か否かを判定する。こうすることで、無線機器６は、ＢＴＳ４に障害が発生したためではなく、単にＢＴＳ４の通信圏外にあるために正常動作通知情報を受信できなかったことを認識できるため、無駄な保守処理の開始を防ぐことができる。
【００５４】
なお、ＢＴＳ４は、電波の届きにくい家庭若しくはオフィスのような室内又は地下のような狭い範囲に設置される低出力タイプのフェムトセルＢＴＳであってもよいし、屋外に設置される通常のＢＴＳであってもよい。ＢＴＳ５も同様である。
【００５５】
なお、障害情報の読み出し（ステップＳ３）、更新情報の書き込みを含む更新の指示（ステップＳ８）、ＢＴＳ４の再起動の指示（ステップＳ１０）において、通信路２０を介する通信接続ができない場合、複数回、通信接続を試みるようにしてもよい。この場合、所定回数以上通信接続を試みて、通信接続が確立出来ない場合は、ＣＰＵ６４は、表示部６５に保守部門の連絡先等を表示する（ステップＳ１２）ようにしてもよい。
【００５６】
また、障害情報の送信（ステップＳ４）、障害対策情報の受信（ステップＳ５）において、通信路１０を介する通信接続ができない場合、複数回、通信接続を試みるようにしてもよい。この場合、所定回数以上通信接続を試みて、通信接続が確立出来ない場合は、ＣＰＵ６４は、表示部６５に保守部門の連絡先等を表示する（ステップＳ１２）ようにしてもよい。
【００５７】
また、障害の内容の特定（ステップＳ６）において、障害の内容を特定できなかった場合には、ＣＰＵ６４は、表示部６５に保守部門の連絡先等を表示する（ステップＳ１２）ようにしてもよい。
【００５８】
なお、表示部６５は、障害の内容に基づいて特定された保守作業項目の一覧、今後必要となる障害に対する対応方法のガイダンスを表示するようにしてもよい。この場合、上位局１、保守監視局２から配信される情報提供のためのメールを表示してもよい。さらに、表示に加えて、無線機器６は、スピーカ（不図示）からの報知音の出力やバイブレータ（不図示）の振動による通知を実行するようにしてもよい。
【００５９】
なお、上記実施形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical disc）等のコンピュータ読み取り可能な記録媒体に格納して配布し、そのプログラムをインストールすることにより、上述の処理を実行するシステムを構成することとしてもよい。
【００６０】
また、プログラムをインターネット等の通信ネットワーク上の所定のサーバ装置が有するディスク装置等に格納しておき、例えば、搬送波に重畳させて、ダウンロード等するようにしてもよい。
【００６１】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００６２】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲、実施形態ではなく、特許請求の範囲によって示される。そして、特許請求の範囲内及びそれと同等の発明の意義の範囲内で施される様々な変形が、本発明の範囲内とみなされる。
【００６３】
上記の実施形態の一部又は全部は、以下の付記のようにも記載されうるが、以下には限られない。
【００６４】
（付記１）
第１の通信路を介して無線機器に正常動作通知情報を定期的に送信する送信部と、
第２の通信路を介して前記無線機器から読み出し可能な記憶部と、
前記記憶部に、自機に発生した障害に関する障害情報を書き込む障害情報書き込み部と、
前記第２の通信路を介して前記無線機器から受信した指示に従って、前記障害を取り除くための処理を実行する実行部と、
を備える無線基地局装置。
【００６５】
（付記２）
前記記憶部は、
前記第２の通信路を介して前記無線機器から送信された情報を書き込み可能であり、
前記実行部は、
前記第２の通信路を介して前記無線機器から前記記憶部に書き込まれたソフトウエアプログラム及びパラメータの更新情報に従って、内部で実行される前記ソフトウエアプログラム及びパラメータを更新する、
ことを特徴とする付記１に記載の無線基地局装置。
【００６６】
（付記３）
前記実行部は、
前記第２の通信路を介して前記無線機器から受信した再起動の指示に従って、自機を再起動する、
ことを特徴とする付記１又は２に記載の無線基地局装置。
【００６７】
（付記４）
前記第２の通信路は、
中継局を介さない近距離無線通信によって確立される通信路である、
ことを特徴とする付記１乃至３のいずれかに記載の無線基地局装置。
【００６８】
（付記５）
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部と、
前記判定部によって前記第１の無線基地局装置に障害が発生していると判定された場合に、第２の通信路を介して前記第１の無線基地局装置の記憶部からその障害に関する障害情報を取得する障害情報取得部と、
前記障害情報取得部によって取得された障害情報を、前記第１の通信路を介して第２の無線基地局装置に送信する送信部と、
前記第２の無線基地局装置から前記障害情報に対応する障害対策情報を受信する受信部と、
前記受信部で受信された障害対策情報に従って、前記障害を取り除くための処理の実行を指示する指示部と、
を備える無線機器。
【００６９】
（付記６）
前記指示部は、
前記障害対策情報にソフトウエアプログラム及びパラメータの更新情報が含まれる場合、前記第２の通信路を介して前記第１の無線基地局装置に前記ソフトウエアプログラム及びパラメータの更新情報及び更新指示を送信する、
ことを特徴とする付記５に記載の無線機器。
【００７０】
（付記７）
前記指示部は、
前記障害対策情報に再起動の指示が含まれる場合、前記第２の通信路を介して前記第１の無線基地局装置に再起動を指示する、
ことを特徴とする付記５又は６に記載の無線機器。
【００７１】
（付記８）
自機の位置情報を取得する位置情報取得部をさらに備え、
前記判定部は、
位置情報取得部によって取得された自機の位置情報に基づいて、前記第１の無線通信基地局の通信圏内に入っているか否かを判定する、
ことを特徴とする付記５乃至７のいずれかに記載の無線機器。
【００７２】
（付記９）
前記第２の通信路は、
中継局を介さない近距離無線通信機能によって確立される通信路である、
ことを特徴とする付記５乃至８のいずれかに記載の無線機器。
【００７３】
（付記１０）
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備え、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する保守システム。
【００７４】
（付記１１）
第１の通信路と第２の通信路とで外部と通信可能な第１の無線基地局装置と、
前記第１の通信路と前記第２の通信路とで、前記第１の無線基地局装置と通信可能な無線機器と、
前記第１の通信路を介して前記無線機器と通信可能な第２の無線基地局装置と、
通信ネットワークを介して、前記第１、第２の無線基地局装置と接続された上位装置と、
を備えるシステムの保守方法であって、
前記無線機器は、
前記第１の無線基地局装置で前記第１の通信路の障害が発生すると、前記第１の無線基地局装置から取得した障害情報を、前記第２の無線基地局装置を介して前記上位装置に送信し、
前記第２の無線基地局装置を介して前記上位装置から送信された障害対策情報に従って、前記第２の通信路を介して、前記第１の無線基地局装置に、前記障害を取り除くための処理を行うよう指示する保守方法。
【００７５】
（付記１２）
コンピュータを、
第１の通信路を介して無線機器に正常動作通知情報を定期的に送信する送信部、
第２の通信路を介して前記無線機器から読み出し可能な記憶部、
前記記憶部に、自機に発生した障害に関する障害情報を書き込む障害情報書き込み部、
前記第２の通信路を介して前記無線機器から受信した指示に従って、前記障害を取り除くための処理を実行する実行部、
として機能させるプログラム。
【００７６】
（付記１３）
コンピュータを、
第１の通信路を介して第１の無線基地局装置から送信される正常動作通知情報を定期的に受信しておらず、かつ、自機が前記第１無線基地局装置の通信圏内に入っている場合に、前記第１の無線基地局装置に障害が発生していると判定する判定部、
前記判定部によって前記第１の無線基地局装置に障害が発生していると判定された場合に、第２の通信路を介して前記第１の無線基地局装置の記憶部からその障害に関する障害情報を取得する障害情報取得部、
前記障害情報取得部によって取得された障害情報を、前記第１の通信路を介して第２の無線基地局装置に送信する送信部、
前記第２の無線基地局装置から前記障害情報に対応する障害対策情報を受信する受信部、
前記受信部で受信された障害対策情報に従って、前記障害を取り除くための処理の実行を指示する指示部、
として機能させるプログラム。
【符号の説明】
【００７７】
１  上位局
２  保守監視局
３  ネットワーク回線網
４、５  無線基地局装置（ＢＴＳ）
６  無線機器
１０、２０  通信路
４１、６１  通信部
４２、６２  インタフェース部
４３、６３  記憶部
４４  制御部
４５  障害情報格納部
４６  更新情報格納部
４７、６９  送信部
４８  障害情報書き込み部
４９  実行部
６４  ＣＰＵ
６５  表示部
６６  位置情報取得部
６７  判定部
６８  障害情報取得部
７０  受信部
７１  指示部
１００  移動体通信システム
【図１】
2012209797.tif 000003
【図２】
2012209797.tif 000004
【図３】
2012209797.tif 000005
【図４】
2012209797.tif 000006